(57)【要約】【課題】  撮像装置に係る情報をユーザに報知する機能を停止させる指示が該撮像装置の操作部に対するユーザ操作によって入力された場合であっても安全に外部装置とのペアリングを行うための技術を提供すること。【解決手段】  撮像装置に係る情報をユーザに報知する報知手段を停止させる指示が、撮像装置の操作部に対するユーザ操作によって入力された場合には、予め設定されている外部装置とのペアリングを行い、該ペアリングの成功後、報知手段を停止させる。【選択図】  図１
2019195131.tif 000002
【特許請求の範囲】
【請求項１】
撮像装置であって、
前記撮像装置に係る情報をユーザに報知する報知手段と、
前記報知手段を停止させる指示が、前記撮像装置の操作部に対するユーザ操作によって入力された場合には、予め設定されている外部装置とのペアリングを行い、該ペアリングの成功後、前記報知手段を停止させる制御手段と
を備えることを特徴とする撮像装置。
【請求項２】
前記制御手段は、前記指示が前記操作部に対するユーザ操作によって入力された場合には、予め設定されている複数の外部装置から優先順位が高い順に外部装置を選択外部装置として選択し、該選択外部装置とのペアリングを行い、該ペアリングが成功すると、前記報知手段を停止させることを特徴とする請求項１に記載の撮像装置。
【請求項３】
前記制御手段は、前記指示が前記外部装置から入力された場合には、前記ペアリングを行うことなく前記報知手段を停止させることを特徴とする請求項１又は２に記載の撮像装置。
【請求項４】
前記制御手段は、前記指示が前記外部装置から入力された場合には、前記ペアリングを行うことなく前記報知手段を停止させ、該停止から規定時間が経過すると前記報知手段を再開させることを特徴とする請求項１乃至３の何れか１項に記載の撮像装置。
【請求項５】
前記制御手段は、前記指示が前記外部装置から入力された場合には、前記撮像装置による撮像画像の記録を開始することを特徴とする請求項３又は４に記載の撮像装置。
【請求項６】
前記制御手段は、ペアリングが成功した外部装置が規定の状態となった場合には、該外部装置とは異なる外部装置とのペアリングを行うことを特徴とする請求項１乃至５の何れか１項に記載の撮像装置。
【請求項７】
前記制御手段は、外部装置とペアリングされている前記撮像装置が規定の状態となった場合には、該規定の状態に係る情報を該外部装置に通知することを特徴とする請求項１乃至６の何れか１項に記載の撮像装置。
【請求項８】
前記報知手段は、ＬＥＤ、スピーカ、バイブレータのうち１つ以上を含むことを特徴とする請求項１乃至７の何れか１項に記載の撮像装置。
【請求項９】
前記撮像装置に係る情報は、前記撮像装置の動作状況、前記撮像装置のバッテリー残量、前記撮像装置のメモリ残量、を含むことを特徴とする請求項１乃至８の何れか１項に記載の撮像装置。
【請求項１０】
前記撮像装置はウェアラブルカメラであることを特徴とする請求項１乃至９の何れか１項に記載の撮像装置。
【請求項１１】
撮像装置の制御方法であって、
前記撮像装置の報知手段が、前記撮像装置に係る情報をユーザに報知する報知工程と、
前記撮像装置の制御手段が、前記報知手段を停止させる指示が、前記撮像装置の操作部に対するユーザ操作によって入力された場合には、予め設定されている外部装置とのペアリングを行い、該ペアリングの成功後、前記報知手段を停止させる制御工程と
を備えることを特徴とする撮像装置の制御方法。
【発明の詳細な説明】
【技術分野】
【０００１】
本発明は、外部装置と通信可能な撮像装置、該撮像装置の制御方法に関するものである。
【背景技術】
【０００２】
ウェアラブルカメラの小型化と省電力化に伴い、ウェアラブルカメラは様々なシーンで用いられるようになってきている。警察関係、警備関係においても、ウェアラブルカメラで撮影しながらパトロールにあたり、事件および事故の場合はウェアラブルカメラで撮影した画像を証拠資料として用いられるようになってきている。ウェアラブルカメラのこのような利用において、スマートフォンなどの情報機器を携行し、無線ネットワーク経由でスマートフォンからの指示によってウェアラブルカメラに様々な指示を行うことを可能とする構成がとられるようになっている。また、ウェアラブルカメラとスマートフォンを携行することで、液晶ディスプレイなどといった表示部を持たないウェアラブルカメラのステータスを、無線ネットワークを通じてペアリングされたスマートフォンの液晶ディスプレイに表示することも可能となる。
【０００３】
液晶ディスプレイなどといった表示部を有さないウェアラブルカメラの動作状況は、通常ＬＥＤ、スピーカ、バイブレータによってユーザは知ることが可能である。動作状況とは、例えば動作中である、停止中である、撮影中であるといったものである。しかし、警察関係、警備関係において利用されるこのようなウェアラブルカメラは、ウェアラブルカメラが撮影中であることを周囲に知られたくないケースがある。このようなケースでは、ウェアラブルカメラのＬＥＤ、スピーカ、バイブレータを全てオフにすることで、ウェアラブルカメラの動作状況を知られないようにする必要がある。しかし、ＬＥＤ、スピーカ、バイブレータを全てオフにすると、ウェアラブルカメラの動作状況をユーザは知ることができない、という問題がある。ユーザが知りたいウェアラブルカメラの状態は、カメラが動作中である、停止中である、撮影中であるといった動作状況のみならず、例えばバッテリー残量やメモリ残量といったものも挙げられ、これらの情報もユーザは知ることができなくなってしまう。
【０００４】
ウェアラブルカメラのＬＥＤ、スピーカ、バイブレータを全てオフにするモードは、ウェアラブルカメラ本体への操作によって設定される場合と、ウェアラブルカメラ本体以外から設定される場合と、がある。ウェアラブルカメラの外部から設定される場合の例としては、無線ネットワーク経由でスマートフォンなどの情報機器によって設定されるケースがある。しかし、ウェアラブルカメラへ無線ネットワークで接続可能な情報機器を限定しないと、ウェアラブルカメラへ意図しない設定が行われてしまう問題がある。
【０００５】
この問題を解決するために、例えば特許文献１では、ペアリング対象候補となるデバイスが複数存在した場合、優先順位テーブルを参照して優先度の高いデバイスと接続し、優先度の高いデバイスが無い場合は、最初に接続要求があったデバイスと接続を行う。
【先行技術文献】
【特許文献】
【０００６】
【特許文献１】特開２００８−１６０６４６号公報
【発明の概要】
【発明が解決しようとする課題】
【０００７】
しかしながら、上述の特許文献１に開示された従来技術では、最初に接続要求があったデバイスと必ず接続が行われてしまうため、悪意のある者によって最初に接続要求が行われた場合、ウェアラブルカメラへ意図しないデバイスとペアリングが行われてしまう。その結果、ウェアラブルカメラへ悪意のある者によって設定を行うことが可能になってしまう、という問題がある。また、優先順位テーブルを参照し、一定時間待ってから最高優先度にあるデバイスを決定するので、ペアリングするために毎回必ず時間がかかってしまう、という問題がある。
【０００８】
本発明では、撮像装置に係る情報をユーザに報知する機能を停止させる指示が該撮像装置の操作部に対するユーザ操作によって入力された場合であっても安全に外部装置とのペアリングを行うための技術を提供する。
【課題を解決するための手段】
【０００９】
本発明の一様態は、撮像装置であって、前記撮像装置に係る情報をユーザに報知する報知手段と、前記報知手段を停止させる指示が、前記撮像装置の操作部に対するユーザ操作によって入力された場合には、予め設定されている外部装置とのペアリングを行い、該ペアリングの成功後、前記報知手段を停止させる制御手段とを備えることを特徴とする。
【発明の効果】
【００１０】
本発明の構成によれば、撮像装置に係る情報をユーザに報知する機能を停止させる指示が該撮像装置の操作部に対するユーザ操作によって入力された場合であっても安全に外部装置とのペアリングを行うことができる。
【図面の簡単な説明】
【００１１】
【図１】ウェアラブルカメラの構成例を示すブロック図。
【図２】ウェアラブルカメラ１００の動作のフローチャート。
【図３】動作モードと、各動作モードにおけるＬＥＤ１２４、スピーカ１２６、バイブレータ１２５の動作状態を示す図。
【図４】優先順位テーブルの構成例を示す図。
【図５】ウェアラブルカメラ１００の動作のフローチャート。
【図６】ウェアラブルカメラ１００の動作のフローチャート。
【発明を実施するための形態】
【００１２】
以下、添付図面を参照し、本発明の実施形態について説明する。なお、以下説明する実施形態は、本発明を具体的に実施した場合の一例を示すもので、特許請求の範囲に記載した構成の具体的な実施形態の１つである。
【００１３】
［第１の実施形態］
先ず、本実施形態に係る撮像装置の一例としてのウェアラブルカメラの構成例について、図１のブロック図を用いて説明する。図１に示す如く、ウェアラブルカメラ１００は、撮像部１１０と、コントローラ部１２０と、を有する。
【００１４】
先ず、撮像部１１０について説明する。外界からの光は光学レンズ１１１を介して撮像素子１１２に入光し、撮像素子１１２は該入光した光に対して光電変換を行うことでアナログ画像信号を生成して出力する。信号処理回路１１３は、撮像素子１１２から出力されたアナログ画像信号をディジタル画像信号に変換し、該ディジタル画像信号に基づく画像（撮像画像）に対して色処理などの各種の画像処理を行う。撮像制御回路１１４は、撮像画像の出力周期と同じ周期で撮像素子１１２を制御する。また、撮像制御回路１１４は、蓄積時間が撮像画像の出力周期より長い場合は、撮像素子１１２からアナログ画像信号が出力できない期間、信号処理回路１１３のフレームメモリの撮像画像を保持するように信号処理回路１１３を制御する。メモリ転送回路１１５は、信号処理回路１１３によって各種の画像処理が施された撮像画像を、コントローラ部１２０のメモリ１２２に転送する。
【００１５】
次に、コントローラ部１２０について説明する。ＣＰＵ１２１は、不揮発性メモリ１２８からメモリ１２２にロードしたコンピュータプログラムやデータを用いて各種の処理を実行する。これによりＣＰＵ１２１は、ウェアラブルカメラ１００全体の動作制御を行うと共に、ウェアラブルカメラ１００が行うものとして後述する各処理を実行若しくは制御する。
【００１６】
メモリ１２２は、不揮発性メモリ１２８からロードされたコンピュータプログラムやデータを格納するためのエリア、撮像部１１０から転送された撮像画像を格納するためのエリア、を有する。さらにメモリ１２２は、ＣＰＵ１２１が各種の処理を実行する際に用いるワークエリアを有する。このように、メモリ１２２は、各種のエリアを適宜提供することができる。また、メモリ転送回路１１５によってメモリ１２２に転送された上記の撮像画像は、ＣＰＵ１２１によって不揮発性メモリ１２８に格納される。
【００１７】
不揮発性メモリ１２８には、ＯＳ（オペレーティングシステム）や、ウェアラブルカメラ１００が行うものとして後述する各処理をＣＰＵ１２１に実行若しくは制御させるためのコンピュータプログラムやデータが保存されている。不揮発性メモリ１２８に保存されているコンピュータプログラムやデータは、ＣＰＵ１２１による制御に従って適宜メモリ１２２にロードされ、ＣＰＵ１２１による処理対象となる。また上記の通り、不揮発性メモリ１２８には、ＣＰＵ１２１によってメモリ１２２から転送された撮像画像も保存される。
【００１８】
ダイヤルボタン１２７は、複数のボタンにより構成されており、ユーザが操作することで各種の指示をＣＰＵ１２１に対して入力することができる。ユーザはダイヤルボタン１２７を操作することで、例えば、ウェアラブルカメラ１００に対して各種の設定を行うことができる。
【００１９】
ＬＥＤ（Ｌｉｇｈｔ  Ｅｍｉｔｔｉｎｇ  Ｄｉｏｄｅ）１２４はＣＰＵ１２１によって制御され、ＣＰＵ１２１はＬＥＤ１２４を消灯させたり、点灯させたり、点滅させたり等、ＬＥＤ１２４の点灯状態を制御する。
【００２０】
バイブレータ１２５はＣＰＵ１２１によって制御され、ＣＰＵ１２１はバイブレータ１２５を動作させてウェアラブルカメラ１００全体を振動させたり、バイブレータ１２５を停止させて該振動を停止させたり等、バイブレータ１２５の動作制御を行う。
【００２１】
スピーカ１２６はＣＰＵ１２１によって制御され、ＣＰＵ１２１は音データに基づく音信号をスピーカ１２６に対して出力することで、該スピーカ１２６から該音信号に応じた音を出力させる。
【００２２】
ネットワークＩ／Ｆ（インターフェース）１２３は、外部装置との間のデータ通信を行うためのインターフェースとして機能するものであり、本実施形態では、ネットワーク機器１３０との間のデータ通信を行う。
【００２３】
ネットワーク機器１３０は、ウェアラブルカメラ１００とのデータ通信が可能な機器であり、スマートフォン、タブレット型端末装置などの通信装置である。ネットワーク機器１３０は、ウェアラブルカメラ１００に対して各種の設定を行うことができる。またネットワーク機器１３０は、ウェアラブルカメラ１００にアクセスして不揮発性メモリ１２８に保存されている撮像画像を取得したり表示したりすることができる。然るにネットワーク機器１３０には、各種の情報が表示可能な表示画面が備わっている。
【００２４】
なお、ウェアラブルカメラ１００の構成は図１に示した構成に限らない。例えば、図１においてコントローラ部１２０に含まれるものとして示した各機能部のうち１つ以上をコントローラ部１２０の外部に設けても良い。
【００２５】
本実施形態では、ウェアラブルカメラ１００の動作モードとして、ＬＥＤ１２４、スピーカ１２６、バイブレータ１２５をオフにする（動作を停止させる）モード（以下では「スパイモード」と称する）を設定することができる。スパイモードへの移行指示（ＬＥＤ１２４、スピーカ１２６、バイブレータ１２５の動作を停止させる指示）が入力された場合におけるウェアラブルカメラ１００の動作について、図２のフローチャートに従って説明する。
【００２６】
本実施形態では、ウェアラブルカメラ１００は、ネットワーク機器１３０と共に携行されることをユースケースとして想定している。また本実施形態では、ウェアラブルカメラ１００はネットワーク機器１３０とネットワークＩ／Ｆ１２３を介して無線ネットワークで通信することを想定している。なお、ウェアラブルカメラ１００とネットワーク機器１３０は一緒に携行されることをユースケースとして想定しているが、バッテリーの観点からもペアリングがなされて常に通信を行っているわけではなく、必要時にペアリングを行って通信を行う。
【００２７】
ステップＳ２０２でＣＰＵ１２１は、スパイモードへの移行指示が、ユーザがダイヤルボタン１２７を操作することで入力された移行指示であるのか、ネットワーク機器１３０からネットワークＩ／Ｆ１２３を介して入力された移行指示であるのか、を判断する。
【００２８】
この判断の結果、スパイモードへの移行指示が、ユーザがダイヤルボタン１２７を操作することで入力された移行指示（ウェアラブルカメラ１００の本体操作により入力された移行指示）である場合には、処理はステップＳ２０３に進む。
【００２９】
一方、スパイモードへの移行指示が、ネットワーク機器１３０からネットワークＩ／Ｆ１２３を介して入力された移行指示（ウェアラブルカメラ１００の本体操作により入力された移行指示ではない）場合には、処理はステップＳ２０８に進む。
【００３０】
ステップＳ２０３では、ＣＰＵ１２１は、ウェアラブルカメラ１００がペアリングを行う候補となるネットワーク機器１３０（ペアリング候補デバイス）があるか否かを判断（チェック）する。ここで、ステップＳ２０３における処理の詳細について説明する。
【００３１】
不揮発性メモリ１２８には、図４に例示するテーブル（優先順位テーブル）が登録されている。優先順位テーブルにはペアリングを行う候補となるネットワーク機器１３０として予めユーザが指定したネットワーク機器１３０（ペアリング候補デバイス）ごとに、該ペアリング候補デバイスが属するグループ、該ペアリング候補デバイスの優先順位が登録されている。
【００３２】
警察関係、警備関係におけるパトロールは、単独ではなく複数人でグループを組んで行われる場合が多い。ユーザが各自ネットワーク機器１３０を１台ずつ携行し、パトロールを行うグループが２つであったとする。この場合、自身が携行するウェアラブルカメラ１００が最初にペアリング候補デバイスとして選択すべきネットワーク機器１３０は自身が携行するネットワーク機器１３０である。図４では、自身の携行するネットワーク機器１３０をＡ２としている。然るに、自身が携行するウェアラブルカメラ１００が最初にペアリング候補デバイスとして選択すべきネットワーク機器１３０はＡ２であるから、Ａ２の優先順位は「１」（優先順が最も高い）となっている。また、自身の携行するネットワーク機器１３０が所属するグループがグループＡである場合、グループＡの設定がなされたネットワーク機器１３０を、グループＢの設定がなされたネットワーク機器１３０よりも優先的にペアリング候補デバイスとして選択する。然るに、図４では、グループＡに属するペアリング候補デバイスの優先順位はグループＢに属するペアリング候補デバイスの優先順位よりも高く設定されている。また、同グループ内における各ペアリング候補デバイスの優先順位は辞書順となっている。また、それぞれのネットワーク機器１３０は、ネットワーク機器１３０毎にユニークなＩＤであるＭＡＣアドレスで識別しているが、他の情報でもって識別を行うようにしても良い。なお、図４の優先順位テーブルは、ユーザがダイヤルボタン１２７を操作して適宜編集可能である。
【００３３】
ステップＳ２０３では、ＣＰＵ１２１は、優先順位テーブルに登録されているネットワーク機器１３０を優先順位が高い順にペアリング候補デバイス（選択外部装置）として選択する。その際、ＣＰＵ１２１は、優先順位テーブルに登録されている全てのネットワーク機器１３０が既にペアリング候補デバイスとして選択済みである場合には、「ペアリング候補デバイスはない」と判断する。一方、ＣＰＵ１２１は、優先順位テーブルに登録されているネットワーク機器１３０のうち未選択のネットワーク機器１３０が残っている場合には、「ペアリング候補デバイスはある」と判断する。
【００３４】
ＣＰＵ１２１が「ペアリング候補デバイスはない」と判断した場合には、処理はステップＳ２０４を介してステップＳ２０７に進む。一方、ＣＰＵ１２１が「ペアリング候補デバイスはある」と判断した場合には、処理はステップＳ２０４を介してステップＳ２０５に進む。
【００３５】
ステップＳ２０５では、ＣＰＵ１２１は、ステップＳ２０３でペアリング候補デバイスとして選択したネットワーク機器１３０に対してペアリングを行う。そしてステップＳ２０６では、ＣＰＵ１２１は、ステップＳ２０５で行ったペアリングが成功したか否かを判断する。この判断の結果、ステップＳ２０５で行ったペアリングが成功した場合には、処理はステップＳ２０８に進み、ステップＳ２０５で行ったペアリングが失敗した場合には、処理はステップＳ２０３に進む。ステップＳ２０６からステップＳ２０３に処理が進んだ場合、ステップＳ２０３では、前回選択したネットワーク機器１３０よりも優先順位が１つ低いネットワーク機器１３０をペアリング候補デバイスとして選択する。ペアリングが失敗した場合とは、先のステップＳ２０３で選択したネットワーク機器１３０がウェアラブルカメラ１００の近傍に無いなどの理由によって、ウェアラブルカメラ１００がペアリングを試みたもののペアリングに成功しなかった場合を意味する。
【００３６】
ステップＳ２０７では、ＣＰＵ１２１は、ステップＳ２０３で選択したネットワーク機器１３０に対するペアリングが失敗した旨を示すログを作成して不揮発性メモリ１２８に登録する。ペアリングが失敗した旨を示すログを作成して不揮発性メモリ１２８に登録するのは、次回ペアリングが成功したときに過去にペアリングが失敗したことを対応するネットワーク機器１３０に通知するためである。ペアリングが失敗したことをネットワーク機器１３０に通知することで、ユーザはペアリング候補デバイスを見直して設定変更することができる。
【００３７】
ステップＳ２０８では、ＣＰＵ１２１は、ウェアラブルカメラ１００の動作モードをスパイモードに移行させ、これによりＣＰＵ１２１は、ＬＥＤ１２４、スピーカ１２６、バイブレータ１２５の動作を停止させる。
【００３８】
このように、図２のフローチャートに従った処理では、スパイモードへの移行指示がダイヤルボタン１２７に対するユーザ操作によって入力された場合には、ペアリングの成功後にスパイモードに移行する。一方、スパイモードへの移行指示がネットワーク機器１３０からネットワークＩ／Ｆ１２３を介して入力された場合には、ペアリングを行うことなく、スパイモードに移行する。スパイモードへの移行指示がネットワーク機器１３０からネットワークＩ／Ｆ１２３を介して入力された場合は、ウェアラブルカメラ１００とネットワーク機器１３０との間でのペアリングが完了し、ネットワーク経由で指示がなされる。そのため、ステップＳ２０３〜ステップＳ２０７の処理は不要となる。
【００３９】
なお、ウェアラブルカメラ１００及びネットワーク機器１３０を携行するユーザが所持するホルスターから警棒や拳銃が抜かれたことを契機に、ネットワーク機器１３０からスパイモードへの移行指示をウェアラブルカメラ１００に対して送信しても良い。その場合、ホルスターから警棒や拳銃が抜かれたことを検知するセンサが必要であり、ネットワーク機器１３０は、このセンサがホルスターから警棒や拳銃が抜かれたことを検知した場合には、スパイモードへの移行指示をウェアラブルカメラ１００に送信する。ホルスターから警棒や拳銃が抜かれたことを契機にスパイモードへ移行する場合は、緊急時であると考えられる。そのため、ＬＥＤ１２４、バイブレータ１２５、スピーカ１２６によるウェアラブルカメラ１００に係る情報の報知は不要であり、重要なシーンであると考えられる。そのため、ＣＰＵ１２１は、「ホルスターから警棒や拳銃が抜かれたことを契機にネットワーク機器１３０から送信されたスパイモードへの移行指示」を受信した場合には、撮像部１１０による撮像画像の不揮発性メモリ１２８への記録（録画）を開始しても良い。そして、ＣＰＵ１２１は、スパイモードへ移行してから（ＬＥＤ１２４、スピーカ１２６、バイブレータ１２５が停止してから）規定時間が経過すると、スパイモードを解除して他のモード（他のモードの一例は後述する）に移行するようにしても良い。スパイモードから他のモードに移行すると、ＣＰＵ１２１は、ＬＥＤ１２４、スピーカ１２６、バイブレータ１２５のうち該他のモードで動作が許可されている機能部の動作を再開させる。これにより、ユーザはＬＥＤ１２４、スピーカ１２６、バイブレータ１２５若しくはその一部によって録画中であることを知ることができる。そしてユーザは、ダイヤルボタン１２７を操作することで、任意のタイミングで録画を停止させることができる。
【００４０】
次に、ウェアラブルカメラ１００が取り得る動作モードと、該動作モードが設定された場合におけるＬＥＤ１２４、スピーカ１２６、バイブレータ１２５の動作状態（動作／非動作）について、図３を用いて説明する。
【００４１】
ウェアラブルカメラ１００の動作モードとしては、通常時に用いられる通常モード、周囲ヘ音の配慮が必要な場合に用いられるマナーモード、周囲へウェアラブルカメラ１００が撮像中であることを知られたくない場合に用いられるスパイモード、がある。
【００４２】
通常モードが設定されている場合は、ＬＥＤ１２４及びスピーカ１２６はオン、バイブレータ１２５は任意となっている。つまり、通常モードが設定されているウェアラブルカメラ１００では、ＬＥＤ１２４及びスピーカ１２６は停止しておらず動作しており、バイブレータ１２５はユーザ設定により動作／非動作を設定することができる。然るに、通常モードが設定されているウェアラブルカメラ１００は、ＬＥＤ１２４の点灯／点滅、スピーカ１２６からの音、バイブレータ１２５の動作（振動）によって、ウェアラブルカメラ１００の状態をユーザに知らせることが可能となる。ユーザが知りたいウェアラブルカメラ１００の状態としては、ウェアラブルカメラ１００が動作中である、停止中である、撮像中である、といったウェアラブルカメラ１００の動作状況や、ウェアラブルカメラ１００のバッテリー残量や、録画するための記憶容量に空き（メモリ残量）があるかどうか、といったものが例として挙げられる。
【００４３】
マナーモードが設定されている場合は、ＬＥＤ１２４はオン、スピーカ１２６はオフ、バイブレータ１２５は任意となっている。つまり、マナーモードが設定されているウェアラブルカメラ１００では、ＬＥＤ１２４は停止しておらず動作しており、スピーカ１２６は停止しており、バイブレータ１２５はユーザ設定により動作／非動作を設定することができる。然るに、マナーモードが設定されているウェアラブルカメラ１００は、ＬＥＤ１２４の点灯／点滅、バイブレータ１２５の動作（振動）によって、ウェアラブルカメラ１００の状態をユーザに知らせることが可能となる。
【００４４】
スパイモードが設定されている場合は、ＬＥＤ１２４、スピーカ１２６、バイブレータ１２５は何れもオフとなっている。つまり、スパイモードが設定されているウェアラブルカメラ１００では、ＬＥＤ１２４、スピーカ１２６、バイブレータ１２５は何れも停止している。然るに、スパイモードが設定されているウェアラブルカメラ１００は、ウェアラブルカメラ１００の状態をＬＥＤ１２４、スピーカ１２６、バイブレータ１２５によってユーザに知らせることができない。
【００４５】
上記の説明において「スパイモードを解除する」、とは、スパイモード以外の他のモード（通常モード、マナーモード）の何れかに移行することを意味し、ウェアラブルカメラ１００は、移行した動作モードに応じた動作を行う。
【００４６】
また、ウェアラブルカメラ１００がペアリングされたネットワーク機器１３０へ通知するデータの量は、ウェアラブルカメラ１００の動作モードに応じて異なる。ウェアラブルカメラ１００とネットワーク機器１３０との間の通信が行われると、ウェアラブルカメラ１００とネットワーク機器１３０両方のバッテリーを消耗する。
【００４７】
通常モードであれば、ユーザはウェアラブルカメラ１００の状態をＬＥＤ１２４の表示、スピーカ１２６からの音、バイブレータ１２５の振動によって知ることができるため、ネットワーク機器１３０へ通知するデータの量は少なくて済む（「低」）。また、ウェアラブルカメラ１００の動作状況や、バッテリー残量や、録画するための記憶容量に空き（メモリ残量）があるかどうか、といった情報をネットワーク機器１３０へ通知する場合であっても、通知する頻度は高い必要は無い。
【００４８】
マナーモードであれば、ユーザはウェアラブルカメラ１００の状態をスピーカ１２６からの音によって知ることができないため、ネットワーク機器１３０へ通知するデータの量は通常モードに比べて多くなる（「中」）。つまり、スピーカ１２６がオフであるため、スピーカ１２６からの音によってユーザに通知していたウェアラブルカメラ１００の状態を高い頻度でネットワーク機器１３０へ通知する必要がある。
【００４９】
スパイモードであれば、ユーザはウェアラブルカメラ１００の状態をＬＥＤ１２４の表示、スピーカ１２６からの音、バイブレータ１２５の振動によって知ることができないため、ネットワーク機器１３０へ通知するデータの量は多くなる（「高」）。つまり、ＬＥＤ１２４、スピーカ１２６、バイブレータ１２５が全てオフであるため、ウェアラブルカメラ１００の状態を高い頻度でネットワーク機器１３０へ通知する必要がある。
【００５０】
このように本実施形態によれば、ウェアラブルカメラのＬＥＤ、スピーカ、バイブレータといった報知部を全てオフするモードが、ウェアラブルカメラの操作部に対するユーザ操作によって設定されると、特定の機器のみをペアリングの対象とすることができる。一方、上記報知部を全てオフするモードが、ウェアラブルカメラの外部から設定された場合は、ペアリングを行うことなく該モードに移行することができる。
【００５１】
［第２の実施形態］
以下では、第１の実施形態との差分について説明し、以下で特に触れない限りは、第１の実施形態と同様であるものとする。スパイモードに移行したウェアラブルカメラ１００が、ペアリング対象となっているネットワーク機器１３０のバッテリー残量が少なくなった場合において行う処理について、図５のフローチャートに従って説明する。
【００５２】
本実施形態においても、ウェアラブルカメラ１００とネットワーク機器１３０は共に携行されており、ウェアラブルカメラ１００はスパイモードにて動作しており、該ネットワーク機器１３０とペアリングされている状態を想定している。
【００５３】
ステップＳ５０１では、ＣＰＵ１２１は、ペアリングされているネットワーク機器１３０におけるバッテリー残量を示す情報を、該ネットワーク機器１３０からネットワークＩ／Ｆ１２３を介して受信する。
【００５４】
ステップＳ５０２では、ＣＰＵ１２１は、ステップＳ５０１で受信した情報が示すバッテリー残量が規定の残量（しきい値）以下であるか否かを判断する。この判断の結果、ステップＳ５０１で受信した情報が示すバッテリー残量が規定の残量以下である場合には、処理はステップＳ５０３に進む。一方、ステップＳ５０１で受信した情報が示すバッテリー残量が規定の残量よりも多い場合には、処理はステップＳ５０１に戻る。ステップＳ５０１における情報取得処理は、規定時間おきに定期的に行うものとするが、不定期的に行っても良い。
【００５５】
ステップＳ５０３でＣＰＵ１２１は、ペアリングされているネットワーク機器１３０は間もなくバッテリー切れで使用できなくなるため、別のネットワーク機器１３０とペアリングを行うべく、ペアリングされているネットワーク機器１３０との接続を解除する。
【００５６】
ステップＳ５０４では、ＣＰＵ１２１は、ステップＳ５０３にて接続（ペアリング接続）を解除したネットワーク機器１３０がステップＳ５０５以降の処理の対象にならないようにする。具体的にはＣＰＵ１２１は、上記の優先順位テーブルを参照し、ステップＳ５０３にて接続を解除したネットワーク機器１３０に対応する優先順位に「−１」等の、優先順位として無効扱いされる値（無効値）を設定することで、優先順位テーブルを更新する。
【００５７】
ステップＳ５０５〜Ｓ５０９のそれぞれでは、ＣＰＵ１２１は、上記のステップＳ２０３〜Ｓ２０７と同様の処理を行うが、その際に使用する優先順位テーブルはステップＳ５０４にて更新した優先順位テーブルである。また、優先順位が無効値のネットワーク機器１３０はペアリング候補デバイスとして選択しないようにする。
【００５８】
そしてステップＳ５０８にてペアリングが成功したと判断した場合には、スパイモードにおけるウェアラブルカメラ１００は、バッテリー残量が充分なネットワーク機器１３０に対してウェアラブルカメラ１００の状態を通知することが可能となる。
【００５９】
また、全てのネットワーク機器１３０に対するペアリングが失敗した場合には、ウェアラブルカメラ１００はネットワーク機器１３０とペアリングすることなく、ウェアラブルカメラ１００単独でスパイモードを継続する。
【００６０】
なお、ＣＰＵ１２１は、バッテリー残量が充分な他のネットワーク機器１３０とのペアリングが成功した場合には、ステップＳ５０４において無効値を設定した優先順位を元の優先順位に戻す。
【００６１】
このように本実施形態によれば、スパイモードのウェアラブルカメラ１００は、ペアリング対象となっているネットワーク機器１３０のバッテリー残量が少なくなった場合、バッテリー残量が充分な他のネットワーク機器１３０とペアリングを行うことができる。他のネットワーク機器１３０とペアリングを行うことで、スパイモードにおけるウェアラブルカメラ１００の状態を新たにペアリングしたネットワーク機器１３０に通知することができる。
【００６２】
なお、本実施形態は、ペアリングされているネットワーク機器１３０が規定の状態となった場合におけるウェアラブルカメラ１００の動作の一例である。然るに、「規定の状態」は「ペアリングされているネットワーク機器１３０のバッテリー残量が充分ではない」ことに限らない。この場合、ＣＰＵ１２１は、ペアリングが成功したネットワーク機器１３０の状態を取得し、該取得した状態が規定の状態である場合には、該ネットワーク機器１３０とは異なるネットワーク機器１３０とのペアリングを行う。
【００６３】
［第３の実施形態］
ネットワーク機器１３０とペアリングされたウェアラブルカメラ１００（スパイモード）のバッテリー残量が少なくなった場合に該ウェアラブルカメラ１００が行う処理について、図６のフローチャートに従って説明する。
【００６４】
本実施形態においても、ウェアラブルカメラ１００とネットワーク機器１３０は共に携行されており、ウェアラブルカメラ１００はスパイモードにて動作しており、該ネットワーク機器１３０とペアリングされている状態を想定している。
【００６５】
ステップＳ６０１では、ＣＰＵ１２１は、ウェアラブルカメラ１００のバッテリー残量を示す情報を取得する。ウェアラブルカメラ１００のバッテリー残量は、例えばＯＳが管理しているため、ＣＰＵ１２１は、ＯＳからウェアラブルカメラ１００のバッテリー残量を示す情報を取得する。
【００６６】
ステップＳ６０２では、ＣＰＵ１２１は、ステップＳ６０１で取得した情報が示すバッテリー残量が規定の残量（しきい値）以下であるか否かを判断する。この判断の結果、ステップＳ６０１で取得した情報が示すバッテリー残量が規定の残量以下である場合には、処理はステップＳ６０３に進む。一方、ステップＳ６０１で取得した情報が示すバッテリー残量が規定の残量よりも多い場合には、処理はステップＳ６０１に戻る。ステップＳ６０１における情報取得処理は、規定時間おきに定期的に行うものとするが、不定期的に行っても良い。
【００６７】
ステップＳ６０３でＣＰＵ１２１は、ウェアラブルカメラ１００は間もなくバッテリー切れで使用できなくなるため、その旨を示す情報を、ペアリングされているネットワーク機器１３０に対してネットワークＩ／Ｆ１２３を介して送信する。
【００６８】
これによりユーザは、ウェアラブルカメラ１００のバッテリー残量が充分でないことを、該ウェアラブルカメラ１００とペアリングされているネットワーク機器１３０によって知ることができ、対策を講ずることが可能となる。対策の例としては、ウェアラブルカメラ１００に予備バッテリーを使用することや、バッテリー残量が充分な別のウェアラブルカメラ１００を用いることが挙げられる。
【００６９】
このように、本実施形態によれば、スパイモードのウェアラブルカメラ１００のバッテリー残量が少なくなった場合、ペアリング対象となっているネットワーク機器１３０に通知を行うことが可能となる。ネットワーク機器１３０にこのような通知を行うことで、ユーザは、スパイモードにおけるウェアラブルカメラ１００のバッテリー残量が少なくなったことを知ることができる。
【００７０】
なお、本実施形態は、ネットワーク機器１３０とペアリングされているウェアラブルカメラ１００が規定の状態となった場合におけるウェアラブルカメラ１００の動作の一例である。然るに、「規定の状態」は「ネットワーク機器１３０とペアリングされているウェアラブルカメラ１００のバッテリー残量が充分ではない」ことに限らない。この場合、ＣＰＵ１２１は、ネットワーク機器１３０とペアリングされているウェアラブルカメラ１００の状態を取得し、該取得した状態が規定の状態である場合には、該規定の状態に係る情報を該ネットワーク機器１３０に通知する。
【００７１】
［第４の実施形態］
ウェアラブルカメラ１００は、ＬＥＤ１２４、スピーカ１２６、バイブレータ１２５の全てを有することに限らず、ＬＥＤ１２４、スピーカ１２６、バイブレータ１２５のうち１つ以上を有するようにしても良い。また、ＬＥＤ１２４、スピーカ１２６、バイブレータ１２５は何れも、ウェアラブルカメラ１００に係る情報をユーザに報知するための機能部の一例に過ぎない。よって、ウェアラブルカメラ１００は、ＬＥＤ１２４、スピーカ１２６、バイブレータ１２５に加えて若しくは代えて「ウェアラブルカメラ１００に係る情報をユーザに報知する機能部」として他の機能部を有しても良い。なお、上記の各実施形態の一部若しくは全部を適宜組み合わせて使用しても構わない。また、上記の各実施形態の一部若しくは全部を選択的に使用しても構わない。
【００７２】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００７３】
１１１：光学レンズ  １１２：撮像素子  １１３：信号処理回路  １１４：撮像制御回路  １１５：メモリ転送回路  １２１：ＣＰＵ  １２２：メモリ  １２３：ネットワークＩ／Ｆ  １２４：ＬＥＤ  １２５：バイブレータ  １２６：スピーカ  １２７：ダイヤルボタン  １２８：不揮発性メモリ  １３０：ネットワーク機器
【図１】
2019195131.tif 000003
【図２】
2019195131.tif 000004
【図３】
2019195131.tif 000005
【図４】
2019195131.tif 000006
【図５】
2019195131.tif 000007
【図６】
2019195131.tif 000008